(57)【要約】      （修正有）【課題】一つの組立什器で、商品を載置して陳列できるようにすると共に、商品を吊下げて陳列できるようにする。【解決手段】一枚のシート状を呈するブランクから組み立てられた組立什器であって、商品を陳列する前後二カ所の陳列部を備え、前方の前記陳列部は、矩形とする底板部の前端に連設され、前端に設けられた折り目に沿って立ち上がる前板部と、底板部の後端に連設され、後端に設けられた折り目に沿って立ち上がる中板部と、底板部の左右両側端に連設され、左右両側端に設けられた折り目に沿って立ち上がる左右の側板部とによって組み立てられ、後方の前記陳列部は、側板部の左右いずれか一方の後端に連設され、後端に設けられた折り目に沿って、左右の側板部にわたるように折り曲げられた後板部とによって組み立てられる。【選択図】図１
2015146946.tif 000002
【特許請求の範囲】
【請求項１】
一枚のシート状を呈するブランクから組み立てられた組立什器であって、
前記組立什器は、商品を陳列する前後二カ所の陳列部を備え、
前方の前記陳列部は、矩形とする底板部の前端に連設され、該前端に設けられた折り目に沿って立ち上がるように折り曲げられた前板部と、
前記底板部の後端に連設され、該後端に設けられた折り目に沿って立ち上がるように折り曲げられた中板部と、
前記底板部の左右両側端に連設され、該左右両側端に設けられた折り目に沿って立ち上がるように折り曲げられた左右の側板部と、によって組み立てられ、
一方、後方の前記陳列部は、左右の前記側板部と、
前記側板部の左右いずれか一方の後端に連設され、該後端に設けられた折り目に沿って、左右の前記側板部にわたるように折り曲げられた後板部と、によって組み立てられ、
更に、前後の前記陳列部の組み立て状態が、前記前板部と左右の前記側板部とを連結するように設けられた係合部、及び前記中板部と左右の前記側板部とを連結するように設けられた係合部の係合、並びに前記後板部と、該後板部が連設されていない前記側板部とを連結するように設けられた接合部の接合によって保持され、前記中板部、及び／又は後板部には、商品を吊下げるフックを前記陳列部内で係脱自在に係合支持する係合孔が形成されていることを特徴とする組立什器。
【請求項２】
商品を陳列する前後二カ所の陳列部を備えた陳列用の組立什器を組み立てるブランクであって、
前記ブランクは、前記組立什器を構成する各部位が折り目を介して一体に備えられた一枚のシート状を呈し、
前記各部位は、
矩形とする底板部と、
前記底板部の前端に設けられた折り目を介して折り曲げ可能に連設された前板部と、
前記底板部の後端に設けられた折り目を介して折り曲げ可能に連設された中板部と、
前記底板部の左右両側端に設けられた折り目を介して折り曲げ可能に連設された左右の側板部と、
前記側板部の左右いずれか一方の後端に設けられた折り目を介して折り曲げ可能に連設された後板部と、であり、
前記前板部と左右の前記側板部、及び前記中板部と前記左右の前記側板部には、前記前板部と、前記中板部と、前記側板部とが折り曲げられた状態で係合すると共に、折り曲げられた状態を保持するように係合する係合部が設けられ、前記後板部と該後板部が連設されていない前記側板部には、前記後板部が折り曲げられた状態で接合すると共に、折り曲げられた状態を保持するように接合する接合部が設けられ、且つ前記中板部、及び／又は前記後板部には、商品を吊下げるフックを前記陳列部内で係脱自在に係合支持する係合孔が形成されていることを特徴とするブランク。
【発明の詳細な説明】
【技術分野】
【０００１】
本発明は、商品を陳列する陳列棚に載置される組立什器用及びこの組立什器用のブランクに関する。
【背景技術】
【０００２】
店舗等で商品を陳列する陳列棚に載置して使用する組立什器は、図１３（ａ）（ｂ）に示すように、商品を入れて陳列する陳列部を備えたボックス型のもの（図１３（ａ））、及び商品を吊下げて陳列する陳列部を備えた吊下げ型のもの（図１３（ｂ））が知られている。
【発明の概要】
【発明が解決しようとする課題】
【０００３】
ボックス型の組立什器１００は、箱１０１内を壁部１０２で仕切って複数の陳列部１０３を形成し、この仕切られた各陳列部１０３に商品を入れて陳列するようにされている。しかしながら、陳列部１０３を構成する壁部１０２が箱１０１とは別部材であるため、組立什器１００の構成部材が複数となってしまい、組立什器１００の製品管理が面倒なものであった。
【０００４】
また、ボックス型の組立什器１００は、陳列する商品が自立するものであれば、陳列部１０３内で立てて陳列できる。しかしながら、自立できない商品の場合、多数の商品を立てた状態となるように壁部１０２の間に入れて陳列できるが、商品が取られて少なくなってくると、残りの商品が陳列部１０３内で倒れてしまい、外から商品が視認できなくなってしまうという問題があった。
【０００５】
自立できない商品を陳列する場合、吊下げ型の組立什器２００を用いて、商品を組立什器２００に設けられたフック２０１に吊下げることで陳列できる。しかしながら、この組立什器２００では、商品をフック２０１から外すときに取り外した商品や手が、取り外す商品の後ろ側に吊下げられた商品や、他のフック２０１に吊下げた商品に触れてしまい、この商品が床に落下してしまうという問題があった。
【０００６】
このため、組立什器１００の箱１０１内に組立什器２００を挿入することで、吊下げた商品が外れたときでも、外れた商品を箱１０１で受け止めることができ、しかも、箱１０１内に壁部１０２を挿入することで、自立できる商品も同時に陳列することができる。
【０００７】
しかしながら、前述のように組立什器１００、２００を組み合わせて使用する場合には、構成部材が更に増えてしまい、組立什器１００、２００の製品管理が面倒なものであった。
【０００８】
尚、本発明に関連する先行技術文献のうち、出願人が当該特許出願時に知っているものがないので、開示すべき先行技術文献情報はない。
【０００９】
本発明は、このような問題に対処することを課題の一例とするものである。すなわち、一つの組立什器で、商品を載置して陳列することができると共に、商品を吊下げて陳列することができること、他の部品を用いることなく一枚のブランクで組立什器を組み立てることができると共に、現場での組み立て作業を行うことができ、且つ組み立て前のブランクを運搬するとき等に複数枚重ねることができること、等が本発明の目的である。
【課題を解決するための手段】
【００１０】
このような目的を達成するために、本発明は、以下の構成を少なくとも具備するものである。
【００１１】
一枚のシート状を呈するブランクから組み立てられた組立什器であって、前記組立什器は、商品を陳列する前後二カ所の陳列部を備え、前方の前記陳列部は、矩形とする底板部の前端に連設され、該前端に設けられた折り目に沿って立ち上がるように折り曲げられた前板部と、前記底板部の後端に連設され、該後端に設けられた折り目に沿って立ち上がるように折り曲げられた中板部と、前記底板部の左右両側端に連設され、該左右両側端に設けられた折り目に沿って立ち上がるように折り曲げられた左右の側板部と、によって組み立てられ、一方、後方の前記陳列部は、左右の前記側板部と、前記側板部の左右いずれか一方の後端に連設され、該後端に設けられた折り目に沿って、左右の前記側板部にわたるように折り曲げられた後板部と、によって組み立てられ、更に、前後の前記陳列部の組み立て状態が、前記前板部と左右の前記側板部とを連結するように設けられた係合部、及び前記中板部と左右の前記側板部とを連結するように設けられた係合部の係合、並びに前記後板部と、該後板部が連設されていない前記側板部とを連結するように設けられた接合部の接合によって保持され、前記中板部、及び／又は後板部には、商品を吊下げるフックを前記陳列部内で係脱自在に係合支持する係合孔が形成されていることを特徴とする組立什器である。
【００１２】
商品を陳列する前後二カ所の陳列部を備えた陳列用の組立什器を組み立てるブランクであって、前記ブランクは、前記組立什器を構成する各部位が折り目を介して一体に備えられた一枚のシート状を呈し、前記各部位は、矩形とする底板部と、前記底板部の前端に設けられた折り目を介して折り曲げ可能に連設された前板部と、前記底板部の後端に設けられた折り目を介して折り曲げ可能に連設された中板部と、前記底板部の左右両側端に設けられた折り目を介して折り曲げ可能に連設された左右の側板部と、前記側板部の左右いずれか一方の後端に設けられた折り目を介して折り曲げ可能に連設された後板部と、であり、前記前板部と左右の前記側板部、及び前記中板部と前記左右の前記側板部には、前記前板部と、前記中板部と、前記側板部とが折り曲げられた状態で係合すると共に、折り曲げられた状態を保持するように係合する係合部が設けられ、前記後板部と該後板部が連設されていない前記側板部には、前記後板部が折り曲げられた状態で接合すると共に、折り曲げられた状態を保持するように接合する接合部が設けられ、且つ前記中板部、及び／又は前記後板部には、商品を吊下げるフックを前記陳列部内で係脱自在に係合支持する係合孔が形成されていることを特徴とするブランクである。
【発明の効果】
【００１３】
このような特徴を有することで本発明は、以下の効果を奏する。すなわち、他の部品を用いることなく一枚のシート状を呈するブランクで、商品を載置して陳列することができると共に、商品を吊下げて陳列することができる組立什器を構成することができる。しかも、現場での組み立て作業を行うことができ、且つ組み立て前のブランクを運搬するとき等に複数枚重ねることができる。
【図面の簡単な説明】
【００１４】
【図１】本発明に係る一実施形態の組立什器の斜視図である。
【図２】図１の正面図である。
【図３】図１の左側面図である。
【図４】図１の右側面図である。
【図５】図１の平面図である。
【図６】図１の背面図である。
【図７】図１の底面図である。
【図８】本発明に係る一実施形態の組立什器用のブランクの平面図である。
【図９】図８に示すブランクを用いて図１に示す組立什器を組み立てる組立工程を示す工程図である。
【図１０】図９から続く工程図である。
【図１１】図１０から続く工程図である。
【図１２】図１１から続く工程図である。
【図１３】（ａ）（ｂ）は、従来の組立什器を示す斜視図である。
【発明を実施するための形態】
【００１５】
以下、本発明に係る一実施形態の組立什器Ａ、及びブランクＢを図１〜図８に基づいて説明する。尚、以下で説明する各実施形態は、本発明を限定するものではない。
【００１６】
組立什器Ａは、図８に示すブランクＢの各部位を折り曲げると共に、各部位の折り曲げ状態を保持することで、前後二カ所の陳列部１、２を備えて形成されている。
【００１７】
ブランクＢは、表面処理を施した厚紙が用いられており、図８に示すように、前述の各部位が折り目Ｂ１〜Ｂ５を介して一体に連設され、全域が同厚、且つ同面の一枚のシート状を呈するようにされている。
【００１８】
前述の各部位は、矩形（長方形）とする底板部Ａ１と、底板部Ａ１の前端に沿って設けられた折り目Ｂ１を介して、立ち上がる方向に折り曲げ可能に連設された前板部Ａ２と、底板部Ａ１の後端に沿って設けられた折り目Ｂ２を介して、立ち上がる方向に折り曲げ可能に連設された中板部Ａ３と、底板部Ａ１の左右両側端に沿って設けられた折り目Ｂ３、Ｂ４を介して、立ち上がる方向に折り曲げ可能に連設された左右の側板部Ａ４、Ａ５と、図面上右側の側板部Ａ４の後端に沿って設けられた折り目Ｂ５を介して、側板部Ａ４が折り曲げられた状態で図面上左側の側板部Ａ５に架け渡される方向に折り曲げ可能に連設された後板部Ａ６とである。
【００１９】
組立什器Ａの前板部Ａ２と、中板部Ａ３と、側板部Ａ４、Ａ５とは、前板部Ａ２と中板部Ａ３と側板部Ａ４、Ａ５にわたるように設けられた係合部Ｃ１〜Ｃ４の係合によって、底板部Ａ１に対する折り曲げ状態が保持されている。
【００２０】
後板部Ａ６は、その先端と側板部Ａ５の後端とにわたるように設けられた接合部Ｃ５の係合によって、側板部Ａ５に対する折り曲げ状態が保持されている。
【００２１】
係合部Ｃ１、Ｃ２は、前板部Ａ２の左側端、及び中板部Ａ３の左側端に、左方向外側に突出するように設けられた係合突起Ｃ１０、Ｃ２０と、側板部Ａ４の表面に、折り曲げたときに係合突起Ｃ１０、Ｃ２０と正対する位置に開孔された係合孔Ｃ１１、Ｃ２１とから構成され、係合突起Ｃ１０、Ｃ２０が係合孔Ｃ１１、Ｃ２１に嵌合するように係合することで、前板部Ａ２と、中板部Ａ３と、側板部Ａ４との折り曲げ状態を保持するようにされている。
【００２２】
係合部Ｃ３、Ｃ４は、前板部Ａ２の右側端、及び中板部Ａ３の右側端に、右方向外側に突出するように設けられた係合突起Ｃ３０、Ｃ４０と、側板部Ａ５の表面に、折り曲げたときに係合突起Ｃ３０、Ｃ４０と正対する位置に開孔された係合孔Ｃ３１、Ｃ４１とから構成され、係合突起Ｃ３０、Ｃ４０が係合孔Ｃ３１、Ｃ４１に嵌合するように係合することで、前板部Ａ２と、中板部Ａ３と、側板部Ａ５との折り曲げ状態を保持するようにされている。
【００２３】
前板部Ａ２と、中板部Ａ３と、側板部Ａ４、Ａ５の折り曲げ状態を、係合部Ｃ１〜Ｃ４の係合で保持することによって、前方の陳列部１を組み立てることができる。
【００２４】
係合突起Ｃ２０、Ｃ４０は、図８のブランクＢの状態（組み立て前の状態）において、中板部Ａ３の左右の側縁Ａ３０、Ａ３１に一体に設けられており、この側縁Ａ３０、Ａ３１に対向する左右の側板部Ａ４、Ａ５の側縁Ａ４０、Ａ５０に設けられた凹部Ａ４１、Ａ５１に、係合突起Ｃ２０、Ｃ４０が適合して嵌合されている。
【００２５】
また、側縁Ａ３０、Ａ３１と、側縁Ａ４０、Ａ５０とは、係合突起Ｃ１０、Ｃ２０、及び凹部Ａ４１、Ａ５１を含めて、ブランクＢの折り曲げ前の状態で接触するように向かい合っており、主に係合突起Ｃ２０、Ｃ４０と、凹部Ａ４１、Ａ５１との接触による摩擦力で中板部Ａ３と側板部Ａ４、Ａ５との折り曲げ前の状態が保持できるようにされている。
【００２６】
そして、前述の摩擦力に抗して中板部Ａ３を折り曲げることで、係合突起Ｃ２０、Ｃ４０、及び凹部Ａ４１、Ａ５１を含めて、側縁Ａ３０、Ａ３１と、側縁Ａ４０、Ａ５０とを離間させることができる。
【００２７】
接合部Ｃ５は、左側の側板部Ａ４の後端に折り目Ｂ６を介して後方向外側に突出するように連設された接合板Ｃ５０と、後板部Ａ６の先端側に接合板Ｃ５０が係合する接合面Ｃ５１とで構成されており、側板部Ａ４、Ａ５、及び後板部Ａ６が折り曲げられた状態で、接合板Ｃ５０を後板部Ａ６の接合面Ｃ５１に対面するように折り曲げて、接合板Ｃ５０と接合面Ｃ５１とを固定することによって、後方の陳列部２を組み立てることができると共に、後板部Ａ６の折り曲げ状態を保持することができるようにされている。
【００２８】
接合板Ｃ５０と接合面Ｃ５１との固定は、接着剤や両面テープ、或いは面状テープ等の固定手段（図示せず）を介して行うことができ、この接合部Ｃ５の固定によって、係合部Ｃ１〜Ｃ４の係合状態をより強固なものとすることができる。
【００２９】
接合板Ｃ５０は、図８に示すブランクＢの状態において、側板部Ａ４の表面と平行に連続するように連設され、接合面Ｃ５１と係合するときに折り目Ｂ６に沿って折り曲げるようにされている。
【００３０】
中板部Ａ３と後板部Ａ６の表面には、商品を吊下げるフック３Ａ、３Ｂを係脱自在に係合保持する係合孔Ｄ１〜Ｄ４、係合孔Ｅ１〜Ｅ４が形成されている。
【００３１】
係合孔Ｄ１〜Ｄ４は、前板部Ａ２の上端の高さよりも上端の位置が高くなるように形成された中板部Ａ３の、前板部Ａ２の上端よりも高い位置に設定されており、フック３Ａを係合保持したときに、このフック３Ａの位置が前板部Ａ２の上端よりも高い位置に配置できるようにされている。
【００３２】
係合孔Ｅ１〜Ｅ４は、中板部Ａ３の上端の高さよりも上端の位置が高くなるように形成された後板部Ａ６の、中板部Ａ３の上端よりも高い位置に設定されており、フック３Ｂを係合保持したときに、このフック３Ｂの位置が中板部Ａ３の上端よりも高い位置に配置できるようにされている。
【００３３】
このような位置に係合孔Ｄ１〜Ｄ４、係合孔Ｅ１〜Ｅ４を配置することによって、フック３Ａを前板部Ａ２に接触させずに、前方の陳列部１内で係合保持することができ、フック３Ｂを中板部Ａ３接触させずに、後方の陳列部１内で係合保持することができる。
【００３４】
フック３Ａ、３Ｂの長さが、陳列部１、２の前後方向の長さよりも短いものであり、フック３Ａ、３Ｂの先端と、前板部Ａ２及び中板部Ａ３との間に商品吊下げ作業用の隙間を確保できる長さにされている。
【００３５】
本例では、係合孔Ｄ１〜Ｄ４、係合孔Ｅ１〜Ｅ４の双方を備えた構成として例示しているが、係合孔Ｄ１〜Ｄ４、又は係合孔Ｅ１〜Ｅ４のいずれか一方がない構成としてもよく、また、係合孔Ｄ１〜Ｄ４、係合孔Ｅ１〜Ｅ４の個数は、例示した四個に限らない。
【００３６】
後板部Ａ６には、後方の陳列部２を左右方向に沿って分割するための仕切り板Ｆ１、Ｆ２が設けられている。
【００３７】
仕切り板Ｆ１、Ｆ２は、後板部Ａ６に中板部Ａ３の表面に向かって突出するように設けられており、仕切り板Ｆ１、Ｆ２の先端と、中板部Ａ３の表面とにわたって設けられた係合部Ｇ１、Ｇ２の係合によって、仕切り板Ｆ１、Ｆ２の突出状態を保持することができるようにされている。
【００３８】
仕切り板Ｆ１、Ｆ２は、後板部Ａ６に長方形の短手方向（後板部Ａ６の高さ方向）の一方と長手方向（後板部Ａ６の左右方向方向）の二方に対応する形状に切れ込みＦ１０、Ｆ２０を入れ、且つ短手方向の他の一方に折り目Ｂ７、Ｂ８を入れ、この折り目Ｂ７、Ｂ８に沿って前方へ突出するように折り曲げることで、中板部Ａ３の表面に向かって突出させることができるようにされている。
【００３９】
このように設けられた仕切り板Ｆ１、Ｆ２は、図１〜図７に示す組み立て後の組立什器Ａの状態、及び図８に示すブランクＢの状態では、折り目Ｂ７、Ｂ８によって後板部Ａ６の表面と同面となる状態が保持されており、後方の陳列部２を分割する際にのみ仕切り板Ｆ１、Ｆ２を折り曲げればよい。
【００４０】
係合部Ｇ１、Ｇ２は、仕切り板Ｆ１、Ｆ２の先端に突設された係合突起Ｇ１０、Ｇ２０と、中板部Ａ３の表面に開孔された係合孔Ｇ１１、Ｇ２１とから構成され、仕切り板Ｆ１、Ｆ２を折り曲げた際に、係合突起Ｇ１０、Ｇ２０が係合孔Ｇ１１、Ｇ２１に嵌合するように係合することで、仕切り板Ｆ１、Ｆ２による陳列部２の分割状態を保持するようにされている。
【００４１】
中板部Ａ３、及び側板部Ａ４、Ａ５には、必要に応じで陳列部１、２の内部の高さをかさ上げするための板（図示せず）が挿し込まれる多数の支持孔Ｈ１が開孔されており、この支持孔Ｈ１に前述の板を挿し込むことで、陳列部１、２の内部の高さをかさ上げすることができるようにされている。
【００４２】
次に、図８に示すブランクＢを用いて図１〜図７に示す組立什器Ａの組立工程を、図９〜図１２に基づいて説明する。
【００４３】
先ず、図９に示すように、前板部Ａ２と中板部Ａ３を立ち上がるように折り曲げ、次いで、図１０に示すように、左右の側板部Ａ４、Ａ５を立ち上がるように折り曲げると共に、係合部Ｃ１〜Ｃ４を係合させることによって、前方の陳列部１が形成される。
【００４４】
次に、図１１に示すように、後板部Ａ６を左側の側板部Ａ４に向かう方向に折り曲げ、最後に、図１２に示すように、接合板Ｃ５０を接合面Ｃ５１に対面する方向に折り曲げると共に、接合面Ｃ５１に固定することによって、後方の陳列部２が形成され、且つ図１〜図７に示す組立什器Ａが組み立てられる。
【００４５】
そして、必要に応じて、後方の陳列部２を分割する際にのみ仕切り板Ｆ１、Ｆ２を折り曲げることによって、後方の陳列部２を分割することができる。
【００４６】
このような構成の組立什器Ａによると、一枚のシート状を呈するブランクＢで組み立てることができる。しかも、一つの組立什器Ａで、且つ他の部品を用いることなく商品を載置して陳列することができると共に、商品を吊下げて陳列することができる。
【００４７】
また、このような構成のブランクＢによると、組立什器Ａの各部位を一体に備えた一枚のシート状を呈するブランクＢであるので、現場において組立什器Ａの組み立て作業を行うことができる。しかも、組み立て前のブランクＢを運搬や収納するとき等に複数枚重ねることができるので、運搬性や収納性の向上を図ることができる。
【符号の説明】
【００４８】
Ａ：組立什器
Ｂ：ブランク
１：陳列部
２：陳列部
Ａ１：底板部
Ａ２：前板部
Ａ３：中板部
Ａ４：側板部
Ａ５：側板部
Ａ６：後板部
Ｂ１：折り目
Ｂ２：折り目
Ｂ３：折り目
Ｂ４：折り目
Ｂ５：折り目
Ｃ１：係合部
Ｃ２：係合部
Ｃ３：係合部
Ｃ４：係合部
Ｃ５：接合部
Ｄ１：係合孔
Ｄ２：係合孔
Ｄ３：係合孔
Ｄ４：係合孔
Ｅ１：係合孔
Ｅ２：係合孔
Ｅ３：係合孔
Ｅ４：係合孔
３Ａ：フック
３Ｂ：フック
【図１】
2015146946.tif 000003
【図２】
2015146946.tif 000004
【図３】
2015146946.tif 000005
【図４】
2015146946.tif 000006
【図５】
2015146946.tif 000007
【図６】
2015146946.tif 000008
【図７】
2015146946.tif 000009
【図８】
2015146946.tif 000010
【図９】
2015146946.tif 000011
【図１０】
2015146946.tif 000012
【図１１】
2015146946.tif 000013
【図１２】
2015146946.tif 000014
【図１３】
2015146946.tif 000015